(57)【要約】【課題】部品点数が少なく、組立ての容易な低コストの換気用箱体を得る。【解決手段】天井裏等の空間に吊下される給気又は排気のための板金製の箱体によって構成される換気用箱体について、その箱体の側面と天面をカシメ付けにより結合して構成するとともに、対向する側面の天面側端縁のカシメ重合部分に一体の吊り支持構造１４を設ける。カシメ重合部分は剛性が高く、吊り支持構造１４は、吊り支持に十分耐えうる。また、カシメ付け部分に位置決めのための突起と係合孔による嵌合い構造を設ける。そして、吊り支持構造１４を側方の一部が開放した長孔７とし、アンカーボルト等の装着を容易にする。【選択図】          図１
2004293821.tif 000002
【特許請求の範囲】
【請求項１】
天井裏等の空間に吊下される給気又は排気のための板金製の箱体によって構成される換気用箱体であって、前記箱体の側面と天面をカシメ付けにより結合して構成するとともに、対向する前記側面の天面側端縁のカシメ重合部分に一体の吊り支持構造を設けた換気用箱体。
【請求項２】
請求項１に記載の換気用箱体であって、カシメ付け部分に位置決めのための突起と係合孔による嵌合い構造を設けた換気用箱体。
【請求項３】
請求項１又は請求項２のいずれかに記載の換気用箱体であって、箱体を四側面と一天面の五面体で構成し、四側面については、同形状の二部材のカシメ付けにより構成した換気用箱体。
【請求項４】
請求項１〜請求項３までのいずれかに記載の換気用箱体であって、吊り支持構造を側方の一部が開放した孔とした換気用箱体。
【発明の詳細な説明】
【０００１】
【発明の属する技術分野】
本発明は、外気の取入れ経路や室内空気の排気経路の一部を構成する換気用箱体に関するものである。
【０００２】
【従来の技術】
天井裏等の空間に取付けられる換気用箱体としては、換気送風機を組込み換気装置の外殻を構成するものや、単なる換気経路の室内端末器として構成された箱体がある。これらの換気用箱体は、多くが板金製で六面体や、下面の開放した五面体に構成され、吊り金具によってアンカーボルト等により吊り固定されるものである。換気用箱体自体は、各面構成部材をネジ締め固定するか、面構成部材の端縁をカシメ付けにより結合して形作られている（例えば、特許文献１参照）。
【０００３】
【特許文献１】
特開２００１−３１７７８２号公報（第２頁―第１図）
【０００４】
【発明が解決しようとする課題】
上記した従来の換気用箱体において、気密性が得やすくネジ部品も少なくて済むカシメ付けによるものでも、吊り支持するための四個又は二個の吊り金具については強度上、別部品をネジ等により固定して設けており、部品点数が嵩み、組立てにも手間がかかるという問題点がある。
【０００５】
本発明は、係る従来の問題点を解決するためになされたものであって、その課題とするところは、部品点数が少なく、組立ての容易な低コストの換気用箱体を得ることである。
【０００６】
【課題を解決するための手段】
前記課題を達成するために本発明は、天井裏等の空間に吊下される給気又は排気のための板金製の箱体で構成される換気用箱体について、その箱体の側面と天面をカシメ付けにより結合して構成するとともに、対向する側面のカシメ重合部分の天面側端縁に一体の吊り支持構造を設ける手段を採用する。
【０００７】
【発明の実施の形態】
図１〜図７によって示す本実施の形態は、天井裏等の空間に吊下される給気又は排気のための板金製の箱体によって構成される換気用箱体に関するものである。この換気用箱体は、図１に全体の斜視図を示すように、給気経路又は排気経路の一部を構成する室内端末器として機能し、下面の開放した方形の箱体として構成され、一面にダクトを接続するためのダクト接続口１を備えており、図２に示すような四面の周側面を構成する二つの側面構成部材２と、天面を構成する天面構成部材３と、ダクト接続口部品４とから形作られている。
【０００８】
二つの側面構成部材２は、１８０度の回転対称に形成され、それぞれ直角をなす二側面を有し、一方の側面構成部材２の一側面にはダクト接続口１が開けられている。各側面構成部材２の上縁には外向きに張出す張出しの大きいフランジ５と張出しの小さいフランジ６が形成され、張出しの大きいフランジ５には側方の一部が開放した長孔７が間隔をおいて二つ形成されている。各側面構成部材２の側端縁は、一方については内向きのチャンネル８に曲げ形成され、他方については外向きのフランジ９が曲げ形成されている。
【０００９】
チャンネル８にはウエブ部の外寄り中間部に角孔状の係合孔１０が開けられ、フランジ９には係合孔１０に対応する位置に係合孔１０に係合する突起１１が形成されている。天面構成部材３は、四角形の天面の四周に段差を持ってフランジ１２が張出されている。天面構成部材３の対向する二つのフランジ１２は、側面構成部材２の張出しの小さいフランジ６の幅寸法の二倍より若干幅広に形成され、他の対向する二つのフランジ１２は、側面構成部材２の張出しの大きいフランジ５の幅寸法の二倍より若干幅広に形成され、フランジ５の長孔７に対応する位置には長孔７を線対称形にした抜孔１３が形成されている（図３〜図５参照）。
ダクト接続口部品４は、テーパー状の筒部の大径側に取付フランジが設けられた構成で、取付フランジにおいてダクト接続口１に固着される。
【００１０】
二つの側面構成部材２を、互いのチャンネル８に互いのフランジ９が入り、突起１１を係合孔１０に嵌込み位置決めした状態で、チャンネル８を内側に曲げ込み、カシメ付けて角筒体を構成する。この後、角筒体の上に蓋をするように天面構成部材３を、フランジ５の長孔７に抜孔１３を合わせて載せ、四方向に張出すフランジ１２を側面構成部材２のフランジ５，６を抱込む形にカシメ付けることにより下面の開放した箱体が構成される。これにダクト接続口部品４を取付けて換気用箱体が完成する。
【００１１】
この換気用箱体は、ネジ部品を最低限に押さえ、殆どカシメ付けによる結合のため、組立てを箱体の方向を変える操作なしに行うことができ、空気漏れも少なくなる。そして、三重の剛性の高いカシメ重合部分に、長孔７と抜孔１３による側部の開放した一体の吊り支持構造１４が構成されるので、吊り金具等の別部品も不用となり、二つの側面構成部材２も共通なのでコストが低減する。吊り支持構造１４は、側面の一部が開放しているので、アンカーボルト等への装着が容易であるが、図６に示すような単なる孔としてもよい。また、ダクト接続口部品４を図７に示すように天面に設けるようにすれば、二つの側面構成部材２は全く同じ部材となり、組立加工がし易くなる。
【００１２】
なお、換気用箱体にはその下面の開放部に化粧グリル１５が装着される。また、換気用送風機を組込み換気装置の外殻として構成することもできる。
【００１３】
【発明の効果】
本発明によれば、部品点数が少なく、組立ての容易な低コストの換気用箱体が得られる。
【図面の簡単な説明】
【図１】実施の形態の換気用箱体の斜視図である。
【図２】実施の形態の換気用箱体の側面構成部材を示す斜視図である。
【図３】実施の形態の換気用箱体の腰部の斜視図である。
【図４】実施の形態の換気用箱体の腰部の断面斜視図である。
【図５】実施の形態の換気用箱体の腰部の斜視図である。
【図６】実施の形態の他の換気用箱体の斜視図である。
【図７】実施の形態のさらに他の換気用箱体の斜視図である。
【符号の説明】
２  側面構成部材、  ３  天面構成部材、  １０  係合孔、  １１  突起、  １４  吊り支持構造。
【図１】
2004293821.tif 000003
【図２】
2004293821.tif 000004
【図３】
2004293821.tif 000005
【図４】
2004293821.tif 000006
【図５】
2004293821.tif 000007
【図６】
2004293821.tif 000008
【図７】
2004293821.tif 000009